(57)【要約】【課題】部材数を減らすことができるとともに、十分な止水性、排水性を備える連窓開口部装置を提供する。【解決手段】  建物開口部に沿って取り付け可能な枠体と、当該枠体に取り付けられる複数のパネルと、当該複数のパネルのパネル間に設けられる連結枠とが備えられる、連窓開口部装置において、連結枠に、当該連結枠の少なくとも一部に備えられるシール部、連結枠の枠内部を導通するとともにシール部が備えられる連結枠の少なくとも一部と連通する内部導通路、及び、内部導通路の少なくとも一部に設けられた内部排水口、を設け、枠体に、当該枠体内部に備えられる中空部、及び、当該中空部から枠体外部へと枠体を貫通する外部排水口を設け、内部排水口によって連結枠の内部導通路と枠体の中空部とが連通するように、連結枠と枠体とを組み合わせる。【選択図】図２
2010144418.tif 000002
【特許請求の範囲】
【請求項１】
建物の開口部に沿って取り付け可能であるとともに、上横枠、下横枠、及び一対の縦枠を有する枠体と、該枠体に設けられる複数のパネルと、該複数のパネルのパネル間に設けられる連結枠と、が備えられる連窓開口部装置であって、
一の長尺部材と他の長尺部材とが組み合わされることで、長尺の前記連結枠が形成されるとともに、該長尺の連結枠には見込み方向に少なくとも二つのシール部が備えられ、
一の前記シール部、他の前記シール部、前記一の長尺部材、及び前記他の長尺部材に囲まれることにより内部導通路が形成され、
前記内部導通路には、内部排水口が備えられ、
前記枠体の前記下横枠には、該下横枠内部に備えられる中空部と、該中空部から前記下横枠外部へと該下横枠を貫通する外部排水口と、が備えられ、
前記内部排水口によって前記連結枠の前記内部導通路と前記下横枠の中空部とが連通するように、前記連結枠と前記枠体とが組み合わされていることを特徴とする連窓開口部装置。
【請求項２】
前記一の長尺部材と前記他の長尺部材とが互いに対応する鉤状部を有し、該鉤状部において前記一の長尺部材と前記他の長尺部材とが係合する、請求項１に記載の連窓開口部装置。
【請求項３】
前記パネルは、ジッパーガスケットを介して前記枠体及び前記連結枠に取り付けられ、前記ジッパーガスケットには排水溝が刻まれている、請求項１又は２に記載の連窓開口部装置。
【請求項４】
建物の開口部に沿って取り付け可能であるとともに、上横枠、下横枠、及び一対の縦枠を有する枠体と、該枠体に設けられる複数のパネルと、該複数のパネルのパネル間に設けられる連結枠と、が備えられる連窓開口部装置であって、
一の長尺部材と他の長尺部材とが組み合わされることで、長尺の前記連結枠が形成されるとともに、該長尺の連結枠には見込み方向に少なくとも二つのシール部が備えられ、
一の前記シール部、他の前記シール部、前記一の長尺部材、及び前記他の長尺部材に囲まれることにより内部導通路が形成され、
前記内部導通路には、内部排水口が備えられ、
前記枠体の前記下横枠には、該下横枠内部に備えられる中空部と、該中空部から前記下横枠外部へと該下横枠を貫通する外部排水口と、が備えられ、
前記内部排水口によって前記連結枠の前記内部導通路と前記枠体の中空部とが連通するように、前記連結枠と前記枠体とが組み合わされるとともに、前記内部導通路が、前記シール部に対して前記建物の室内側に備えられることを特徴とする連窓開口部装置。
【請求項５】
建物の傾斜屋根開口部に備えられることを特徴とする、請求項１〜４のいずれかに記載の連窓開口部装置。
【発明の詳細な説明】
【技術分野】
【０００１】
本発明は建物開口部に備えられる連窓開口部装置に関し、詳しくは、優れた防水機能、排水機能を具備する連窓開口部装置に関する。
【背景技術】
【０００２】
建物開口部に備えられる連窓開口部装置としては、例えば、連窓サッシや連窓の天窓等が挙げられ、その構造は、特許文献１、２のように、枠体と、当該枠体に取り付けられる複数のパネルとを備え、当該複数のパネルのパネル間に方立が設けられたものが代表的である。かかる場合には、通常、湿式のシールを用いることで、枠体の水密性や、パネル間の水密性が高められている。
【０００３】
しかしながら、連窓開口部装置の構成部材が、経年劣化や衝撃等によって一部破損等した場合は、上記水密性が失われ、枠体内部や方立内部さらには室内へと水が侵入してしまう虞がある。特に連窓開口部装置を天窓に用いた場合、室内側への水の浸入方向と重力方向とが略同一となるため、建物外部から室内側へと水が侵入しやすく、より確実な止水・排水構造が必要とされる。
【０００４】
これに対して、従来においては、例えば、サッシの縦枠や方立に、排水構造を備える下部キャップを取り付け、枠内や方立内の水を排水可能としていた。
【特許文献１】特開２００７−１００４７２号公報
【特許文献２】特開２００６−９４０４号公報
【発明の開示】
【発明が解決しようとする課題】
【０００５】
しかしながら、特許文献１、２に記載の開口部装置のように別途方立を取り付ける場合には、部材、及び必要なシールが増えるためコストが増加し、さらに、部材数が増加する分、採光面積が小さくなってしまう。また、上記のように、特にこれらを天窓として用いた場合、窓同士の連結部において、シールやその他構成部材が一部破断等してしまうと、例えば雨天時において、建物外部から室内側へ水が侵入してしまう。
【０００６】
一方、縦枠や方立に排水機能を有する下部キャップを取り付ける場合は、縦枠や方立の内部に溜まった水の排水が促される。しかしながら、連窓のパネル間連結部において、特にシール部が破損等した場合、室内へと雨水等が流入してしまう虞がある。さらには、方立を用いているので、やはり採光面積を減少せざるを得ない。
【０００７】
そこで本発明は、部材数を減らすことができるとともに、十分な止水性、排水性を備える連窓開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。また、本発明において、「見込み方向」とは、連窓開口部装置のパネル面に対して直交する方向をいう。
【０００９】
本発明は、建物の開口部に沿って取り付け可能であるとともに、上横枠（２１）、下横枠（２０）、及び一対の縦枠（２２、２２）を有する枠体（２５０）と、枠体に設けられる複数のパネル（８ａ、８ｂ）と、複数のパネルのパネル間に設けられる連結枠（１００）と、が備えられる連窓開口部装置であって、一の長尺部材（１）と他の長尺部材（２）とが組み合わされることで、長尺の上記連結枠が形成されるとともに、長尺の連結枠には見込み方向に少なくとも二つのシール部（１０、１１、１２）が備えられ、一のシール部、他のシール部、一の長尺部材、及び他の長尺部材に囲まれることにより内部導通路（１５０ａ、１５０ｂ）が形成され、内部導通路には、内部排水口（４０ｂ）が備えられ、枠体の下横枠には、下横枠内部に備えられる中空部（２００）と、中空部から下横枠外部へと下横枠を貫通する外部排水口（３００）と、が備えられ、内部排水口によって連結枠の内部導通路と下横枠の中空部とが連通するように、連結枠と枠体とが組み合わされていることを特徴とする連窓開口部装置（５００）を提供して前記課題を解決するものである。
【００１０】
また、連結枠が長尺の部材とされる上記本発明において、一の長尺部材（１）と他の長尺部材（２）とが互いに対応する鉤状部（１ｅ、２ｅ）を有し、当該鉤状部において一の長尺部材と他の長尺部材とを係合するものとしてもよい。
【００１１】
さらに、本発明において、パネル（８ａ、８ｂ）が、ジッパーガスケット（７）を介して枠体（２５０）及び連結枠（１００）に取り付けられ、当該ジッパーガスケットには排水溝（９）が刻まれていることが好ましい。
【００１２】
また、本発明の連窓開口部装置（５００）は、建物開口部に取り付けられた状態において、上記内部導通路（１５０ａ、１５０ｂ）が連結枠（１００）のシール部（１０）に対して建物の室内側に備えられるように、開口部に取り付けられていることが好ましい。
【００１３】
また、本発明の連窓開口部装置（５００）は建物の傾斜屋根開口部に備えられることで天窓とされることが好ましい。
【発明の効果】
【００１４】
本発明によれば、連結枠に備えられたシール部が破損等した場合であっても、当該シール部の破損箇所から、連結枠内部の内部導通路、内部導通路に備えられた内部排水口、枠体の下横枠内部にある中空部、さらには外部排水口を介して枠体外部へと水が排水され得るので、破損箇所に水が溜まることを防ぐとともに、室内側へ水が侵入することを防ぐことができる。また、従来枠体の排水用に備えられていた排水キャップを、そのまま上記外部排水口として用いることも可能であるから、部材の増加を防ぐことができる。
【００１５】
また、一の部材と他の部材とを直接連結して連結枠を形成することで、部材間に方立を用いずとも連結枠を形成することができるので、部材数を減らすことができ、採光面積をより大きくすることができる。
【００１６】
また、一の部材と他の部材とを組み合わせて連結枠とする場合において、鉤状部の係合を介して部材を直接組み合わせることで、連結枠の連結と、シール部の形成とを一体化することができ、さらに部材数を減らすことができる。
【００１７】
さらに、ジッパーガスケットを介してパネルを枠体及び連結枠へと取り付ける場合は、ジッパーガスケットに溝が刻まれた形態とすることで、ジッパーガスケットとパネル、又はジッパーガスケットと枠体とによって形成された凹部に水が溜まりにくく、容易に排水可能とすることができるとともに、室内へより水が侵入し難い構造とすることができる。
【００１８】
一方、建物の傾斜屋根開口部に上記本発明の連窓開口部装置を設けることで、部材数が減らされ、採光面積をより大きくとり得るとともに、シール部が破損等した場合においても、室内へと雨水等が侵入し難く、優れた止水性、排水性を有する天窓を提供することができる。
【００１９】
本発明のこのような作用及び利得は、次に説明する発明を実施するための最良の形態から明らかにされる。
【発明を実施するための最良の形態】
【００２０】
以下本発明を図面に示す実施形態に基づき説明する。本実施形態においては、連窓開口部装置を天窓として用いた場合について説明する。但し、本発明は当該実施形態に限定されるものではない。
【００２１】
＜天窓５００＞
図１は、建物の屋根開口部に設けられた連窓開口部装置５００（以下、天窓５００ということがある。）を示す概略図である。なお、屋根、及び屋根開口部については、図面が煩雑となるのを避けるため省略してある。図１において、天窓５００は、水平面に対して所定の傾きをもって屋根開口部に設けられている。図２は、図１にＩＩ−ＩＩで示された部分の一部を概略的に示す断面図であり、特に連窓の連結枠部分について示している。図３は、図２にＡで示された破線領域についての拡大図である。図４は、図１にＩＶ−ＩＶで示された部分の一部を概略的に示す断面図であり、特に外枠の下部横枠について示している。以下、図１〜４を参照しつつ天窓５００について説明する。
【００２２】
図１に示すとおり、天窓５００は水平面に対して傾斜した状態で設けられている。天窓５００には、下横枠２０、上横枠２１、及び一対の縦枠２２、２２を有する枠体２５０が備えられている。当該枠体２５０は、上記屋根開口部に沿って取り付けられる。また、天窓５００には、ガラスパネル８ａ、８ｂが備えられるとともに、ガラスパネル間に連結枠１００が形成されており、これをもって連窓とされている。天窓５００においては、ジッパーガスケット７ａ、７ｂを介して、ガラスパネル８ａ、８ｂが枠体２５０及び連結枠１００へと取り付けられている。一方で、天窓５００の下端部（下横枠２０の軒先側）には、排水弁として機能するキャップ３００、３００…が備えられている。当該キャップ３００、３００…は、従来の開口部装置に備えられていた排水用キャップと同一のものを用いることができ、枠体２５０の枠内部に溜まった水を枠外部へと排水可能とするものである。以下、天窓５００の連結枠１００及び枠体２５０の下横枠２０の内部構造について説明する。
【００２３】
（連結枠１００）
図２、３に示すように、連結枠１００は、互いに対応する断面形状を有する長尺部材１と長尺部材２とが組み合わされて形成されている。また、長尺部材１、２の間には隙間が形成されており、当該隙間を埋めるように、第一シール部材１０、ガスケット１１、及び第二シール部材１２（以下、これらをまとめて、シール部材１０、１１、１２という場合がある。）が備えられている。これらは長尺部材１、２の長手方向（紙面奥手前方向）に延在している。また、第一シール部材１０と、ガスケット１１と、長尺部材１、２とによって囲まれた空間が内部導通路１５０ｂとされ、ガスケット１１と、第二シール部材１２と、長尺部材１、２とによって囲まれた空間が内部導通路１５０ａとされている。天窓５００においては、従来用いられてきた方立は用いられておらず、長尺部材１、２及びシール部材を組み合わせて連結枠１００としている。
【００２４】
一方、長尺部材１、２のシール部材１０、１１、１２が備えられる側とは反対側には、ジッパーガスケット７ａ、７ｂが取り付けられており、当該ジッパーガスケット７ａ、７ｂを介してガラスパネル８ａ、８ｂが取り付けられている。また、長尺部材１、２は、部材５０ａ、５０ｂを介して建物躯体（不図示）へと取り付けられるよう構成されている。
【００２５】
図３には、長尺部材１、２、当該長尺部材１、２に取り付けられたジッパーガスケット７ａ、７ｂ、及び長尺部材１、２間の隙間を埋めるように形成された第一シール部材１０、ガスケット１１、及び第二シール部材１２が示されている。以下、連結枠１００のうち、長尺部材１、２の構造、シール部材１０、１１、１２の構造、及び内部導通路１５０ａ、１５０ｂの構造について、さらに詳しく説明する。
【００２６】
（長尺部材１）
長尺部材１は、図２、３において紙面奥手前に延在する長尺の部材であり、基部１ａと、当該基部１ａから突出する片１ｂ、１ｃ、１ｄ、１ｅ、及び１ｆとからなる断面形状を有している。長尺部材１の材料、成形法は特に限定されない。例えば、従来からサッシの枠体用として使用されてきた材料を、所定の断面形状を有するように押出し成形する等によって成形され得る。
【００２７】
長尺部材１の断面形状において、片１ｂ、１ｃは、基部１ａからガラスパネル８ａ側へと突出しており、ジッパーガスケット７ａが取り付けられ得る形状とされている。一方、片１ｄは、基部１ａから片１ｂ、１ｃとは反対側へと突出しており、下記に説明する第一シール部材１０、及びガスケット１１を支える底面を形成している。また、片１ｅは、基部１ａから片１ｄと同様の方向に突出し、天窓５００を建物開口部に取り付けた状態において室外側へと、その端部が折り曲げられた形状とされており、下記に説明する第二シール部材１２を支える底面及び鉤状部を形成している。さらに、基部１ａからは、片１ｂ、１ｃと同様の方向に、片１ｆが突出している。片１ｆからは片１ｇ、１ｈが突出しており、固定部材を介して長尺部材１を上記部材５０ａへと取り付けられ得る形状とされている。
【００２８】
（長尺部材２）
長尺部材２は、長尺部材１と同様、図２、３において紙面奥手前に延在する長尺の部材であり、基部２ａと、当該基部２ａから突出する片２ｂ、２ｃ、２ｄ、２ｅ、及び２ｆとからなる断面形状を有している。長尺部材２の材料、成形についても、長尺部材１と同様特に限定されない。
【００２９】
長尺部材２の断面形状において、片２ｂ、２ｃは、基部２ａからガラスパネル８ｂ側へと突出しており、ジッパーガスケット７ｂが取り付けられ得る形状とされている。また、片２ｄは、基部２ａから片２ｂ、２ｃとは反対側へと突出しており、下記に説明する第一シール部材１０、及びガスケット１１を支える底面を形成している。一方、片２ｅは、基部２ａから片２ｄと同様の方向に突出し、天窓５００を建物開口部に取り付けた状態において室内側へと、その端部が折り曲げられた形状とされており、上記の長尺部材１の片１ｅと対応する鉤状部とされている。また、基部２ａからは、片２ｂ、２ｃと同様の方向に、片２ｆが突出している。片２ｆからは片２ｇ、２ｈが突出しており、固定部材を介して長尺部材２を上記部材５０ｂへと取り付けられ得る形状とされている。
【００３０】
（シール部材１０、１１、１２）
連結枠１００には、上記長尺部材１、２の長手方向に沿って、長尺部材１、２の間に存在する隙間を埋めるように、複数のシール部材が備えられている。本実施形態において、シール部材は、第一シール部材１０、ガスケット１１、及び第二シール部材１２からなる。第一シール部材１０は、連結枠１００に備えられる複数のシール部材のうち最も室外側に備えられる部材である。第一シール部材１０の材料は特に限定されないが、湿式シールとすることが好ましい。第一シール部材１０は、ガスケット１１上に形成される。ガスケット１１は、第一シール部材１０の下方であって長尺部材１、２の片１ｄ、２ｄ上に配置される部材であり、ガスケットとして従来公知のものを特に限定されずに用いることができる。第二シール部材１２は、長尺部材１、２の鉤状部に配置される部材であり、片２ｅの端部と片１ｅとによって形成される隙間をシールしている。第二シール部材１２は、従来公知のものを特に限定されずに用いることができるが、乾式シールとすることが好ましい。
【００３１】
連結枠１００においては、ガスケット１１によって、下記に説明する内部導通路１５０ｂの底面が形成されている。また、互いに対応する鉤状とされた片１ｅ及び片２ｅと、当該鉤状部に備えられる第二シール部材１２とによって、下記に説明する内部導通路１５０ａの底面が形成されている。以下、連結枠１００の内部に備えられる内部導通路１５０ａ、１５０ｂについて説明する。
【００３２】
（内部導通路１５０ａ、１５０ｂ）
連結枠１００においては、長尺部材１の基部１ａと、長尺部材２の基部２ａと、第一シール部材１０と、ガスケット１１とに囲まれた空間が内部導通路１５０ｂとされている。また、長尺部材１の片１ｅと、長尺部材２の片２ｅと、ガスケット１１と、第二シール部材１２とによって囲まれた空間が内部導通路１５０ａとされている。
【００３３】
この形態において、例えば、連結枠１００に備えられた複数シール部材のうち、第一シール部材１０が衝撃や経年劣化等によって一部破損した場合を考える。この場合、雨天時等においては、当該破損箇所を通じて、水が内部導通路１５０ｂへと侵入する。内部導通路１５０ｂへと侵入した水は、ガスケット１１上に溜まることとなり、室内側への防水が可能とされている。但し、ガスケット１１上の水がガスケット１１の隙間を通じて室内側に移動した場合であっても、下記に説明するように、水は、内部導通路１５０ｂに備えられた隙間４０ａ（図６参照）から内部導通路１５０ａに到達し、当該内部導通路１５０ａの軒先端部に備えられた突き当たり部４１（図５参照）まで移動したのち、孔４０ｂ（図６参照）を介して、枠体２５０の下横枠２０内部に形成された中空部２００へと排水可能とされている。そして、中空部２００へと流れこんだ水は、キャップ３００を介して、枠外部へと排出されることとなる。
【００３４】
一方で、例えば、連結枠１００に備えられた複数シール部材のうち、第一シール部材１０、及びガスケット１１の双方が、衝撃や経年劣化等によって一部破損した場合を考える。この場合、雨天時等においては、水が第一シール部材１０の破損箇所から、内部導通路１５０ｂを伝って、ガスケット１１の破損箇所へと到達し、内部導通路１５０ａへと侵入することとなる。内部導通路１５０ａへと侵入した水は、長尺部材１、２の片１ｅ、２ｅや第二シール部材１２上に溜まり、屋根軒先方向へと流れることとなる。内部導通路１５０ａの軒先端部には、突き当たり部４１（図５参照）が備えられており、水は、当該突き当たり部４１まで到達したのち、孔４０ｂ（図６参照）を介して、枠体２５０の下横枠２０内部に形成された中空部２００へと排出される。そして、中空部２００へと流れこんだ水は、キャップ３００を介して、枠外部へと排出されることとなる。
【００３５】
次に、枠体２５０を構成する部材の一つである下横枠２０の構造について説明する。図４は、図１にＩＶ−ＩＶで示された部分の一部を概略的に示す断面図であり、枠体２５０の下横枠２０、当該下横枠２０に取り付けられたジッパーガスケット７ｃ、ガラスパネル８ａ等が示されている。
【００３６】
（下横枠２０）
枠体２５０を構成する部材の一つである下横枠２０は、図４において紙面奥手前に延在する長尺の部材であり、基部２０ａと、当該基部２０ａから突出する片２０ｂ、２０ｃ、２０ｄと、当該片２０ｂと片２０ｃとを渡すように形成された片２０ｅと、当該片２０ｅの軒先側端部から伸びる片２０ｆと、片２０ｃから片２０ｅとは反対側へ突出する片２０ｇ、２０ｈと、基部２０ａから片２０ｂ、２０ｃ、２０ｄとは反対側へ突出する片２０ｗ、２０ｘ、２０ｙ、２０ｚと、からなる断面形状を有している。下横枠２０の材料、成形法は特に限定されない。例えば、従来からサッシの枠体として用いられてきた材料を、所定の断面形状を有するように押出し成形する等によって成形され得る。
【００３７】
下横枠２０の断面形状において、片２０ｇ、２０ｈは、ジッパーガスケット７ｃが取り付けられ得る形状とされ、当該ジッパーガスケット７ｃを介してガラスパネル８ａが取り付けられている。また、基部２０ａから突出する片２０ｙ、２０ｚには、固定部材が取り付けられ、下横枠２０が部材を介して躯体（不図示）へと取り付け可能とされている。一方、下横枠２０の断面形状において、基部２０ａ、片２０ｂ、片２０ｃ、及び片２０ｅによって囲まれる空間が中空部２００とされている。さらに、下横枠２０の片２０ｂは、その一部が切り欠かれており、当該切り欠かれた部分に排水弁として機能するキャップ３００が取り付けられている。従って、下横枠２０において、中空部２００へと侵入した水は、基部２０ａを伝って、キャップ３００を介して外部へ排水可能な構造とされている。
【００３８】
上述した、天窓５００においては、連結枠１００に備えられる内部導通路１５０ａ、１５０ｂと、下横枠２０に備えられる中空部２００とが連通されることで、上記シール部材の破損箇所から侵入した水は、内部導通路１５０ａ、１５０ｂを伝って中空部２００へと到達し、中空部２００からキャップ３００を介して、枠外部へと排出される。以下、内部導通路１５０と中空部２００とが一続きとされる内部構造について説明する。
【００３９】
図５は、図１におけるＩＶ−ＩＶと略平行に、第一シール部材１０上を紙面上下方向に切断した場合における断面を概略的に示す図である。図５においては、説明のため、部材を省略して示している。また、図５の点線で示される位置の紙面奥側に、上記中空部２００が存在している。図６は、図１においてＶＩで示される破線領域の内部及び排水経路を概略的に示す図である。図６においても、説明のため、一部の部材を省略して示している。
【００４０】
まず、連結枠１００のシール部材１０が経年劣化や衝撃等によって一部破損した場合について説明する。図５において、Ｂで示される個所が破損部である。雨天時等においては、当該破損箇所Ｂから、内部導通路１５０ｂ（ガスケット１１の隙間部）へと水が侵入する。天窓５００は所定の傾きをもって屋根開口部に取り付けられているので、内部導通路１５０ｂへと侵入した水は屋根軒先方向へ流れ、軒先側を覆う第一シール部材１０に突き当たるものの、それより室内側へと水が侵入する可能性は低い。仮にガスケット１１の隙間を通じて室内側へと水が移動したとしても、片１ｄと片２ｄとの間の隙間４０ａから内部導通路１５０ａに侵入し、内部導通路１５０ａの底面（第二シール部材１２）を伝って軒先端部へと到達する。下記に説明するように、内部導通路１５０ａの軒先側端部には孔４０ｂが設けられており、水は孔４０ｂから、下横枠２０の中空部２００（図５において紙面奥側）へと到達する。上述したように、中空部２００はキャップ３００へと通じているため、中空部２００へと到達した水は、基部２０ａを伝ってキャップ３００を介して、枠外部へと排水されることとなる。
【００４１】
次に、第一シール部材１０及びガスケット１１が、経年劣化や衝撃等によって一部破損した場合について説明する。雨天時等において、第一シール部材１０の破損箇所Ｂから侵入した水は、内部導通路１５０ｂへと侵入し、ガスケット１１上を伝って、内部導通路１５０ｂの破損箇所Ｂよりも軒先側にある、ガスケット１１の破損箇所（不図示）へと到達し、当該破損箇所を通じて内部導通路１５０ａへと流れ込むこととなる。
【００４２】
内部導通路１５０ａへと侵入した水は、内部導通路１５０ａの底面となる片１ｅ、２ｅ、及び第二シール部材１２上を伝って軒先へと流れ、内部導通路１５０ａの突き当たり部４１（図６においては省略されている。）まで到達する。内部導通路１５０ａの軒先側端部には孔４０ｂが設けられており、当該孔４０ｂは下横枠２０内部の中空部２００へと通じている。図５に示すように、突き当たり部４１は孔４０ｂの軒先側に形成されている。よって、内部導通路１５０ａを伝って軒先側へと流れてきた水は、孔４０ｂを通じて中空部２００へと到達し、下横枠２０の基部２０ａを伝って、キャップ３００から枠外部へと排出されることとなる。
【００４３】
また、図６に示すように、長尺部材２側に孔４０ｃが設けられていてもよい。長尺部材２側に設けられた下横枠２０についても、上記と同様の構造を有しており（図１参照）、孔４０ｃを設けることで、内部導通路１５０ａに侵入した水を、長尺部材２側の下横枠２０の中空部からキャップ３００を介して外部に排出可能となる。
【００４４】
また、図６に示すように、片１ｅには切り欠き４０ｄが設けられていてもよい。切り欠き４０ｄを設けることで、シール部材１０の充鎮を容易とすることができる。
【００４５】
以上より、天窓５００によれば、第一シール部材１０が破損した場合において、破損箇所Ｂに水が溜まることなく、第一シール部材１０だけでなくガスケット１１が破損した場合においても、破損箇所Ｃに水が溜まることなく、速やかに枠外部へと排水される。従って、天窓５００は経年劣化や地震時の衝撃等によって連結枠１００のシール部が破損した場合であっても、室内への浸水を効率よく防ぐことができる。また、部材として方立を用いず連結枠１００が形成されているから、部材数低減によってコストを抑えることができるとともに、採光面積をより大きくとることができる。さらに、枠体２５０や、排水部（外部排水口）として機能させるキャップ３００等は、従来から用いられてきたものをそのまま用いることができるので、部材数の増加を防ぐことができるとともに、連結枠１００以外の部材について、設計変更する必要が少ない。
【００４６】
（その他構成）
図４において、下横枠２０にはジッパーガスケット７ｃが取り付けられ、当該ジッパーガスケット７ｃを介してガラスパネル８ａが取り付けられている。ここで、ジッパーガスケット７ｃには、当該ジッパーガスケット７ｃの上部から軒先側に向かって排水溝９が刻まれている。このことで、ジッパーガスケット７ｃとガラスパネル８ａとによって形成される凹部に水が溜まることなく、速やかに軒先側へと排水され得る。排水溝９が刻まれる数、及び個所については特に限定されないが、形態としては両端二箇所に設けられている形態とすることが好ましい。
【００４７】
また、枠体２５０の下横枠２０以外の構造については、連窓開口部装置の外枠として用いられ得るものであれば特に限定されずに用いることができる。但し、天窓に用いられることを考慮すると、枠体２５０は下記の構造を備えていることが好ましい。
【００４８】
図７は、枠体２５０の上横枠２１、縦枠２２、及び下横枠２０の外観及び内部構造を概略的に示す図である。図７に示すように、枠体２５０は、内部にキャッチパンが備えられた構造とされている。具体的には上横枠２１内部には上枠パン２３が、縦枠２２内部には縦枠パン２４が、下横枠２０内部には下枠パン２５が形成されている（図８参照）。
【００４９】
上枠パン２３、縦枠パン２４、及び下枠パン２５の嵌合構造について説明する。図８（ａ）には、上枠パン２３と縦枠パン２４との嵌合部分（図７においてＶＩＩＩ（ａ）で示される破線領域）を概略的に示す図である。図８（ａ）に示されるとおり、上枠パン２３と縦枠パン２４とは、上枠パン２３が縦枠パン２４に重ね乗せられる形で互いに嵌合している。よって上枠パン２３が縦枠パン２４に対していわゆる組み合わせ勝ちとなっている。
【００５０】
図８（ｂ）には、縦枠パン２４と下枠パン２５との嵌合部分（図７においてＶＩＩＩ（ｂ）で示される破線領域）を概略的に示す図である。図８（ｂ）に示されるとおり、縦枠パン２４と下枠パン２５とは、縦枠パン２４が下枠パン２５に重ね乗せられる形で互いに嵌合している。よって縦枠パン２４が下枠パン２５に対していわゆる組み合わせ勝ちとなっている。
【００５１】
図８（ａ）、（ｂ）からわかるように、枠体２５０の内部に備えられるキャッチパンは、水上側が組み合わせ勝ちになる構造とされている。特に、天窓のように、建物垂直面に対して水平側に所定の傾きをもって形成される開口部装置においては、パンの凹部に水が溜まりやすいが、上記のようにパン嵌合部分の水上側を組み合わせ勝ちとすることで、キャッチパン上を水が流れる際、パン嵌合部分に水が留まることなく軒先側へと排出され得る。
【００５２】
上記説明においては、矩形の屋根開口部に備えられる天窓について説明してきたが、天窓５００の形状はこれに限定されない。連結枠のシール部材が破損した場合における上記バックアップ排水機構が備えられていれば、屋根開口部の形状に合わせて適宜変更することができる。
【００５３】
また、上記説明においては、ガラスパネルが二か所設置された連窓の天窓について説明してきたが、天窓に備えられるガラスパネルの数はこれに限定されない。枠体を渡すように形成される連結枠を、複数設けることで、ガラスパネルの数を適宜増やすことができる。
【００５４】
また、上記説明においては、連結枠１００のシール部材が、第一シール部材１０、ガスケット１１、第二シール部材１２によって構成される形態を説明したが、シール部材の数はこれに限定されない。但し、部材数を減らしつつ容易に内部導通路１５０を形成するとともに、水密性の高い連結枠とする観点からは、連結枠の隙間を埋めるように、少なくとも二つのシール部材を形成し、室内側に形成されるシール部材の上面を内部導通路１５０の底面とするのがよい。
【００５５】
また、上記説明においては、内部導通路１５０の軒先側端部から孔４０ｂを介して中空部２００へと排水され得る形態を説明したが、内部導通路１５０から中空部２００への排水構造はこれに限定されない。例えば、長尺部材１の長手方向に沿って孔４０ｂを複数設けることで、内部導通路１５０の複数個所から枠体内に水を排出可能としてもよい。
【００５６】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う連窓開口部装置もまた本発明の技術的範囲に包含されるものとして理解されなければならない。
【図面の簡単な説明】
【００５７】
【図１】天窓５００を概略的に示す外観斜視図である。
【図２】天窓５００の一部の断面を概略的に示す図である。
【図３】図２の一部を拡大した図である。
【図４】天窓５００の一部の断面を概略的に示す図である。
【図５】連結枠１００の一部の断面を概略的に示す図である。
【図６】排水経路を説明するための図であり、天窓５００の連結枠内部を概略的に示している。
【図７】枠体２５０の構造を説明するための図である。
【図８】枠体２５０の枠内部に備えられたキャッチパンの嵌合構造を説明するための図である。
【符号の説明】
【００５８】
１、２            長尺部材
１０            第一シール部材
１１            ガスケット
１２            第二シール部材
２０            下横枠
２１            上横枠
２２            縦枠
４０ａ            隙間（内部排水口）
４０ｂ            孔（内部排水口）
１００            連結枠
１５０ａ、１５０ｂ    内部導通路
２００            中空部
２５０            枠体
３００            キャップ（外部排水口）
５００            天窓（連窓開口部装置）
【図１】
2010144418.tif 000003
【図２】
2010144418.tif 000004
【図３】
2010144418.tif 000005
【図４】
2010144418.tif 000006
【図５】
2010144418.tif 000007
【図６】
2010144418.tif 000008
【図７】
2010144418.tif 000009
【図８】
2010144418.tif 000010